(57)【要約】【課題】無線アドホックネットワークを形成している複数の無線端末から、イベントが発生した目的の端末を容易に特定する。【解決手段】複数の無線端末が接続される無線アドホックネットワーク環境において、無線端末でイベントを検出するイベント検出手段と、無線端末が他の無線端末にイベントの発生を通知するイベント通知手段と、他の無線端末はイベント通知を転送するイベント転送手段と、イベント通知を受信した無線端末は他の無線端末に連動して所定の動作を行う動作手段とを具備し、複数の無線端末の動作を追跡することで、イベントを検出した無線端末を特定できる。【選択図】図３
2006352305.tif 000002
【特許請求の範囲】
【請求項１】
複数の無線端末が接続される無線アドホックネットワーク環境において、
無線端末でイベントを検出するイベント検出手段と、
前記無線端末が他の無線端末にイベントの発生を通知するイベント通知手段と、
前記他の無線端末は前記イベント通知を転送するイベント転送手段と、
前記イベント通知を受信した無線端末は他の無線端末に連動して所定の動作を行う動作手段とを具備し、
複数の無線端末の動作を追跡することでイベントを検出した無線端末を特定できることを特徴とする無線システム。
【請求項２】
前記無線端末は、イベントを検出した無線端末からのイベント通知転送回数を保持しておき、
前記転送回数によって前記動作手段の開始時間を設定することを特徴とする、請求項１に記載の無線システム。
【請求項３】
前記無線端末は、イベントを検出した無線端末からのイベント通知転送回数を保持しておき、
前記転送回数によって前記動作手段の動作頻度を設定することを特徴とする、請求項１または請求項２に記載の無線システム。
【請求項４】
前記無線端末は、無線端末間の距離情報を保持しておき、
距離情報に応じて前記動作手段の開始時間を設定することを特徴とする、請求項１から請求項３に記載の無線システム。
【請求項５】
前記無線端末は、イベント発生手段を具備し、利用者が任意にイベントを発生させることで前記無線端末までの経路を追跡できることを特徴とする、請求項１から請求項４に記載の無線システム。
【請求項６】
前記動作手段は、表示装置を点滅させる表示手段であり、
利用者が視覚的にイベントを検出した無線端末を特定できることを特徴とする、請求項１から請求項５に記載の無線システム。
【請求項７】
複数の無線端末が接続される無線アドホックネットワーク環境において、
無線端末でイベントを検出するイベント検出段階と、
前記無線端末が他の無線端末にイベントの発生を通知するイベント通知段階と、
前記他の無線端末は前記イベント通知を転送するイベント転送段階と、
前記イベント通知を受信した無線端末は他の無線端末に連動して所定の動作を行う動作段階とを具備し、
複数の無線端末の動作を追跡することでイベントを検出した無線端末を特定できることを特徴とする無線通信方法。
【発明の詳細な説明】
【技術分野】
【０００１】
本発明は、複数の無線端末を接続して構成するアドホックネットワークにおいて、無線端末に障害が発生したり、無線端末の内部もしくは外部のイベントを検出したりする場合に、該当する無線端末を特定するための無線システムに関するものである。
【背景技術】
【０００２】
イベントや障害が起こった場合に該当する無線端末を特定する従来の無線システムとしては、無線端末の障害情報に対応して、無線端末内に備え付けられたディスプレイの表示内容を変更しているものがあった（例えば、特許文献１参照）。
【０００３】
図８は、前記特許文献１に記載された従来の無線システムにおける障害表示を示す図である。
【０００４】
図８において、無線端末である各映像表示装置９０１（９０１−Ａ〜Ｉ）は、相互に接続されている無線アドホックネットワークを形成している。また、無線システムへ配信された映像を複数の映像表示装置９０１で連係して表示することを可能とする。
【０００５】
このような無線システムにおいて、例えば、映像表示装置９０１−Ｈに障害が発生した場合、その障害信号がイベントとして両端の映像表示装置９０１−Ｉと映像表示装置９０１−Ｇへ伝送される。障害イベントを受信した両端の映像表示装置（９０１−Ｉ、Ｇ）は、障害イベントの内容に応じて画面表示を変更する、例えば、映像を消すなどの動作を行う。
【０００６】
このように、障害などの無線端末からのイベントを無線システムが検知した場合に、障害が発生した無線端末と関連する無線端末の表示を変更することで、無線システムの利用者に対して視覚的に障害イベントを通知していた。
【特許文献１】特開２００４−２２９１４９号公報（第７−８頁、図１１）
【発明の開示】
【発明が解決しようとする課題】
【０００７】
しかしながら、前記従来の構成では、無線システムの利用者が無線端末の全体の構成を一望することが不可能な場合に問題が発生していた。例えば、遮蔽物が存在する場合、利用者にとって一度に把握することのできる無線端末は数台のみである。このような環境において、障害やイベントが発生した無線端末が利用者の視覚外に存在する場合や、全体構成が把握できない場合には、該当する無線端末を特定することが困難となっていた。
【０００８】
また、前記従来の構成では、各映像表示装置が障害に対応したパターンをディスプレイに表示するが、個々の映像表示装置が想定する障害以外の表示パターンを示すことが難しく、利用者にとって障害が発生していることを判定できない場合があった。
【０００９】
本発明は、前記従来の課題を解決するものであり、複数の無線端末の中から障害やイベントを検知した無線端末を特定するために、利用者が無線端末動作を追跡することを可能とする無線端末システムを提供することを目的とする。
【課題を解決するための手段】
【００１０】
前記従来の課題を解決するために、本発明の無線システムは、無線端末でイベントを検出するイベント検出手段と、無線端末が他の無線端末にイベントの発生を通知するイベント通知手段と、他の無線端末はイベント通知を転送するイベント転送手段と、イベント通知を受信した無線端末は他の無線端末に連動して所定の動作を行う動作手段とを具備し、複数の無線端末の動作を追跡することで、イベントを検出した無線端末を利用者が特定できることを特徴とする。
【００１１】
本構成によって、利用者がイベントや障害を検出した無線端末を探索する場合に、所定の動作を行っている無線端末を発見し、そこから連動する無線端末を追跡していくことで目的の無線端末を発見することが可能となる。
【００１２】
また、請求項２に記載の発明では、無線端末はイベントを検出した無線端末からのイベント通知転送回数を保持しておき、転送回数によって動作手段の開始時間を設定することを特徴とする。
【００１３】
本構成によって、イベントや障害を検出した無線端末から地理的に遠い無線端末から所定動作を開始し、地理的に近くなる無線端末へと連動していくことで、利用者が無線端末を特定するために無線端末の動作を追跡することが可能になる。
【００１４】
また、請求項３に記載の発明では、無線端末はイベントを検出した無線端末からのイベント通知転送回数を保持しておき、転送回数によって動作手段の動作頻度を設定することを特徴とする。
【００１５】
本構成によって、イベントや障害を検出した無線端末から地理的に遠い無線端末では、所定動作を行う頻度を低くし、近い無線端末では所定動作の頻度を高くすることで、利用者にとって目的とする無線端末にどのくらい近づいているのかを感覚的に示すことが可能となる。
【００１６】
また、請求項４に記載の発明では、無線端末は、無線端末間の距離情報を保持しておき、距離情報に応じて動作手段の開始時間を設定することを特徴とする。
【００１７】
本構成によって、無線端末間の距離が長い場合には動作開始時間を長く設定し、距離が短い場合には動作開始時間を短く設定することで、無線端末間での連動をより効果的に示すことができ、利用者にとって無線端末動作の追跡を効率化することが可能となる。
【００１８】
また、請求項５に記載の発明では、無線端末は、イベント発生手段を具備し、利用者が任意にイベントを発生させることで無線端末までの経路を追跡できることを特徴とする。
【００１９】
本構成によって、利用者が特定の無線端末への経路を知りたい場合に、特定の無線端末でイベントを発生させることで、無線端末の連動動作によって経路を確認することが可能となる。
【００２０】
また、請求項６に記載の発明では、無線端末の動作手段は、表示装置を点滅させる表示手段であり、利用者が視覚的にイベントを検出した無線端末を特定できることを特徴とする。
【００２１】
本構成によって、利用者が複数の無線端末に接続されている表示装置の点滅を追跡していくことで、複数の無線端末の中からイベントや障害を検出している目的となる無線端末を特定することが可能となる。
【発明の効果】
【００２２】
本発明の無線システムによれば、利用者が複数の無線端末で連携する動作を追跡することで、イベントや障害を検知した無線端末を特定することが可能となる。
【発明を実施するための最良の形態】
【００２３】
以下、本発明の実施の形態について、図面を参照しながら説明する。
【００２４】
（実施の形態１）
図１は、本発明の実施の形態１における無線システムを示す図である。
【００２５】
図１では、無線端末Ａ（１０Ａ）から無線端末Ｆ（１０Ｆ）の５つの無線端末が存在しており、それぞれの無線端末Ａ（１０Ａ）〜無線端末Ｆ（１０Ｆ）は表示装置１１Ａから表示装置１１Ｆに接続されている。表示装置１１Ａ〜１１Ｆは、例えば、非常口に設置されている非常灯のようなＬＥＤで構成されるものや、蛍光灯のような照明器具であり、無線端末からの制御信号によって点灯したり消灯したりするなどの点滅動作が可能である。
【００２６】
また、各無線端末Ａ（１０Ａ）〜Ｆ（１０Ｆ）は無線アドホックネットワークを形成しており、隣接する無線端末と無線によって接続されている。各無線端末間の接続関係は、図１において点線で示される。例えば、無線端末Ａ（１０Ａ）と無線端末Ｂ（１０Ｂ）は点線で結ばれており、無線で接続されているため相互に通信することが可能な環境となっている。また、無線端末Ａと無線端末Ｅとは点線で結ばれておらず、直接に通信することはできない。
【００２７】
ここで、無線端末Ｅ（１０Ｅ）の付近でイベント１０２（例えば火災など）が発生し、そのことをユーザ１０１に知らせると共に、イベント１０２が発生した無線端末Ｅ（１０Ｅ）の場所までユーザ１０１を誘導するアプリケーションを想定する。このとき、ユーザは全ての無線端末を一望することはできない環境にあり、イベント１０１の発生時点で確認が可能な無線端末は無線端末Ａ（１０Ａ）のみである。なお、イベント１０２は、火災やガス漏れなどの災害検知の他に、無線端末の障害発生や、利用者が任意に起こしたイベントなどでも良い。
【００２８】
本発明の無線システムにおいて、このようなアプリケーションを実現するために、複数の無線端末Ａ（１０Ａ）〜無線端末Ｆ（１０Ｆ）に接続されている表示装置１１Ａ〜１１Ｅを点滅させて、イベント１０２が発生した無線端末Ｅ（１０Ｅ）へ向けて表示装置の動作が連動して集まっていくような動作をさせることで、ユーザ１０１の誘導を行う。
【００２９】
図２は、本発明の実施の形態２における無線端末の構成を示す図である。図２において、図１と同じ構成要素については同じ記号を用いる。
【００３０】
図２に示すように、無線端末２ａは、無線端末Ａ（１０Ａ）から無線端末Ｆ（１０Ｆ）の共通の構成であり、表示制御部２０１と、電源部２０２と、距離測定部２０３と、制御部２０４と、無線部２０５と、センサＩ／Ｆ（インターフェース）２０６と、センサ２０７と、無線Ｉ／Ｆ２０８と、アンテナ２０９などとを備える。なお、制御部２０４はＣＰＵやＲＡＭ、ＲＯＭなどによって構成され、無線端末動作を制御するものである。また、距離測定部は無線端末間の距離を測定する機能であり、距離を使用するアプリケーションについては後述の実施の形態２に示す。
【００３１】
無線部２０５と無線Ｉ／Ｆ２０８は、他の無線端末との制御情報やデータの通信を行うために使用されるものであり、微弱無線、特定小電力無線、ＺｉｇＢｅｅ（８０２．１５．４）、Ｂｌｕｅｔｏｏｔｈ、ＵＷＢ、８０２．１１系（ａ、ｂ、ｇ、ｎなど）を含む無線方式をサポートする。また、無線通信を行う場合には、アンテナ２０９が利用される。
【００３２】
センサ２０７は、物理現象または化学現象を測定・検知するものである。この計測対象としては、温度、湿度、光、映像、音響、超音波、赤外線、磁気、圧力、振動、加速度、ガスなど、様々な物理現象や化学現象が挙げられ、もしくはこれらの組み合わせであってもよい。センサ２０７で測定・検知された情報はセンサＩ／Ｆ２０６を通じて無線端末２ａへと送られる。なお、図２において、センサ２０７は無線端末の外付けの装置として示しているが、無線端末に内蔵された一つのモジュールとして機能してもよい。
【００３３】
電源部２０２は、無線端末に対して駆動電力を供給する部分であり、電池やバッテリーなどの交換タイプからＡＣ電源などの固定タイプの電源まで様々な形態がある。なお、備え付けの照明器具に無線端末を設置する場合には、照明器具の電源を分配して供給する場合もある。
【００３４】
表示制御部２０１は、表示装置２ｂを制御するものである。表示装置２ｂは、表示装置１１Ａから表示装置１１Ｅの共通の構成であり、制御回路２１０と、タイマ２１１と、ＬＥＤランプ２１３と、ランプユニット２１３などを備える。
【００３５】
表示装置２ｂ中の制御回路２１０は、無線端末２ａの表示制御部２０１の制御に従って動作するものであり、タイマ２１１用いて時間制御を行ったり、ランプユニット２１３を制御することでＬＥＤランプ２１２の点灯・消灯を制御したりすることが可能である。なお、表示装置２ｂは無線端末２ａの外部の装置として記載しているが、無線端末２ａに内蔵された一つのモジュールとして機能してもよい。
【００３６】
これら、図２で示す無線端末２ａと表示装置２ｂを用いてユーザを誘導する方法を図３に示す。
【００３７】
図３は、イベント発生からの各無線端末動作のシーケンスを示す図である。図３において、図１と同じ構成については同じ記号を用いる。
【００３８】
図３において、イベントが発生すると、センサを用いて無線端末Ｅ（１０Ｅ）がイベント検知３０１を行う。さらに、無線端末Ｅ（１０Ｅ）はイベントの発生を周辺の無線端末に知らせるために、イベント通知を周辺の接続可能な無線端末に送信する。ここでは、無線端末Ｅ（１０Ｅ）から無線端末Ｂ（１０Ｂ）への通知はイベント通知３０２が、無線端末Ｆ（１０Ｆ）への通知はイベント通知３０３が無線端末Ｅ（１０Ｅ）より送信されている。
【００３９】
イベント通知を受信した無線端末は、さらに別の無線端末へイベント通知を転送する。ここで、無線端末Ｂ（１０Ｂ）に接続されている無線端末は、無線端末Ａ（１０Ａ）と無線端末Ｃ（１０Ｃ）であり、それぞれの無線端末に対してイベント転送３０４とイベント転送３０５が送信される。なお、無線端末Ｂ（１０Ｂ）において、イベント転送３０４を送信してからイベント転送３０５を送信するまでは、待ち時間を設けることなく、短い時間で処理されるものとする。また、無線端末Ｆ（１０Ｆ）においても、無線端末Ｅ（１０Ｅ）以外で接続している無線端末が存在するのであれば、その無線端末に対してイベント転送を送信する。
【００４０】
イベント転送３０４を受信した無線端末Ａ（１０Ａ）は、さらに接続可能な無線端末Ｄ（１０Ｄ）が存在するため、イベント転送３０６を無線端末Ｄ（１０Ｄ）へ送信する。このようにして、全ての無線端末に情報が行き渡るまでイベント通知が繰り返される。
【００４１】
なお、無線端末の数が非常に多い環境においては、全ての無線端末にイベント通知の情報を送ると、ネットワーク内のトラヒック負荷が膨大なものとなってしまう。よって、このような場合には予めイベント転送回数を規定したり、イベント転送の存在時間に制限を設けたりすることで、情報の伝達を効率化することが考えられる。
【００４２】
次に、各無線端末は、イベント通知もしくはイベント転送を受信すると、規定時間だけ待機動作（待機３０７から待機３１１）を行う。待機３０７から待機３１１のそれぞれの時間は、無線端末Ｅ（１０Ｅ）からの転送ホップ回数によって設定される（図４）。
【００４３】
図４は、転送ホップ回数と待機時間の関係を示す図である。
【００４４】
図４では、表４ａに示すように、イベントが発生した無線端末Ｅからのホップ回数によって、イベント通知もしくはイベント転送を受信してから次の動作に移行するまでの待機時間を設定している。待機時間は、無線端末Ｅからのホップ回数が大きくなる、つまり無線端末Ｅから遠くなる無線端末ほど短くなるように設定される。図４では、最もホップ回数が大きい“３”である無線端末Ｄの待機時間がＴ（Ｔは定数）、次にホップ回数が“２”である無線端末Ａと無線端末Ｃの待機時間が２Ｔ、ホップ回数が“１”である無線端末Ｂと無線端末Ｆの待機時間が３Ｔ、そして無線端末Ｅは、待機時間を４Ｔと設定する。
【００４５】
このように、ホップ回数が大きい無線端末の待機時間を小さくし、ホップ回数が小さい無線端末の待機時間を大きくすることで、イベントから遠くの無線端末から動作を開始して、イベントに近づく順番で各無線端末は動作を開始していく。なお、上記では、イベントを検出した無線端末Ｅは、自身からのホップ回数が０になるため、他の無線端末と比較して最も待機時間が多くなるように設定する。
【００４６】
ここで、再び図３に注目する。図３において、無線端末Ｄ（１０Ｄ）は、待機３０７後に表示装置点滅３１２を開始する。表示装置点滅３１２では、無線端末Ｄ（１０Ｄ）に接続されている表示装置Ｄ（１１Ｄ）のＬＥＤランプを点滅させる動作である。同様に、他の無線端末Ａ（１０Ａ）から無線端末Ｆ（１０Ｆ）も、それぞれ待機３０８から待機３１１後に表示装置点滅３１３から表示装置点滅３１６を開始する。なお、無線端末Ｆ（１０Ｆ）については、利用者とって目的となる無線端末であるという観点から、待機時間の設定に関係なく、表示装置を動作させることも考えられる。
【００４７】
このような動作を利用者の立場で見ると、無線端末Ａ（１０Ａ）が点滅し始めて、次に無線端末Ｂ（１０Ｂ）が点滅し、次に無線端末Ｅ（１０Ｅ）が点滅を始めているように認識することができる。つまり、無線端末が点滅する順番に追いかけていくことで、無線端末Ｅ（１０Ｅ）を特定し、イベント１０２を発見することができる。
【００４８】
なお、最初に表示装置が点滅を行ってから次の点滅を行うまでの時間を規定することも可能である。図３において、待機３１８から待機３２０は同じ時間幅であり、各無線端末が表示装置点滅３１２から表示装置点滅３１６を行ってから、次の動作である表示装置点滅３２１から表示装置点滅３２５を行うまでの時間である。このような時間を設定可能とすることで、点滅動作をさらに間欠動作させることによって、複数の無線端末間の連動動作を強調することが可能となり、ユーザにとってよりイベントまでの追跡を効率化することができる。
【００４９】
また、表示装置が点滅する間隔は、イベントを検知した無線端末からのホップ回数によって変更することも可能である。例えば、ホップ回数が大きくなればなるほど点滅する間隔を大きくし、イベントに近づいてホップ回数が小さくなるほど点滅する間隔を小さく設定する。これは、利用者にとって点滅する無線端末を追跡することでイベントを発見することに加えて、どのくらいイベントに近づいているのかを視覚的に認識することを可能とする。
【００５０】
さらに、これまでの無線端末の動作として、表示装置のＬＥＤライトの点滅を挙げたが、ユーザにとって追跡可能な動作として、他に無線端末を振動させたり、無線端末が音を発生したりするなど、無線端末を特定できる動作であれば代用可能である。
【００５１】
（実施の形態２）
図５は、本発明の実施の形態２における無線システムを示す図である。
【００５２】
図５では、無線端末５０１から無線端末５２１が配置されており、それぞれ点線で示される無線接続５３１から無線接続５５２によってアドホックネットワークを形成しているものとする。また、各無線端末は部屋Ａ（５６１）から部屋Ｆ（５６６）の全ての部屋に置かれており、どの無線端末からどの無線端末へも、マルチホップ通信を用いることで通信が可能であるとする。
【００５３】
ここで、部屋Ａ（５６１）にいるユーザ５Ａが、どこに存在するかを把握していない対象物５Ｂを発見するアプリケーションを考える。なお、対象物は無線装置からの探索によって発見可能である仕組みを用いており、例えば、対象物に固有のＩＤを持つＩＣタグを貼付して無線装置からの探索に対して応答する、を備えているものとする。この場合、図１の無線端末の構成において、センサ２０７はＩＣタグを読み取ることが可能なＲＦＩＤリーダの役割を果たす。
【００５４】
対象物５Ｂを探索する場合、ユーザ５Ａは近くの無線端末５０３に対して探索パケットを送信するように設定を行う。無線端末５０３からの探索パケットは接続されているすべての無線端末、ここでは無線端末５０１と無線端末５０５へ探索パケットを送信する。探索パケットを受信した無線端末は、同様にして探索パケットを周辺の無線端末へと送信する。このようにして、全ての無線端末に探索パケットが行き渡るように探索パケットの転送が為される（探索パケットのフラッディング）。
【００５５】
また、探索パケットを受信した無線端末は、対象物が周辺に存在するかどうかを調べる。図６では、部屋Ｃ（５６３）に存在する無線端末５１１のそばに対象物５Ｂが存在するため、無線端末５１１が対象物Ｂを検出する。なお、今回のケースでは、ユーザからの探索パケットに対して各無線端末はリアルタイムに検出を行っているが、あらかじめ各無線端末の周辺にどのような物が存在するかを調べて設定しておくことも可能である。
【００５６】
図６に、対象物の発見から誘導動作までのシーケンスを示す図を示す。図６において、図５と同じ構成については同じ記号で示す。
【００５７】
図６では、ユーザ５Ａから対象物５Ｂの最短ルート間に存在する、無線端末５０３、無線端末５０５、無線端末５０７、無線端末５１０、無線端末５１１のそれぞれの動作を記述している。
【００５８】
まず、無線端末５０３より探索開始６Ａによって探索パケット６０１が送信される。それを受信した無線端末５０５は、自身の端末アドレスを含めて探索パケット６０２として送信する。同様にして、探索パケット６０３から探索パケット６０５は、それが通った経路情報を追加しながら無線端末５１１に到達する。
【００５９】
無線端末５１１に探索パケット６０５が到達すると、対象物５Ａが発見される（対象物発見動作５Ｂ）。無線端末５１１からはユーザに対象物５Ａが発見されたことをイベントとして通知するため、応答パケット６０６を無線端末５１０に送信する。このときの応答パケット６０１から応答パケット６１０の経路は、探索パケットに含まれていた経路情報から作成することができる。この経路の考え方はアドホックネットワーク構築で既存の方法であるため、詳細な説明は割愛する。
【００６０】
応答パケット６１０が無線端末５０３に返送されると、無線端末５０３は表示装置の点滅を開始する（点滅開始６Ｃ）。また、無線端末５０３からは、対象物５Ｂへの経路を示す方法として、次の無線端末５０５に対して制御パケット６１１を送信する。この制御パケットの受信によって、無線端末５０５は、表示装置の点滅を開始する（点滅開始６Ｄ）。同様にして、制御パケット６１２から制御パケット６１５の送信によって点滅開始６Ｅから点滅開始６Ｈまでの動作が為される。
【００６１】
なお、各無線端末の点滅開始動作のタイミングついては、各無線端末間の距離によって変更することも可能である（図７）。
【００６２】
図７は、無線端末間距離による点滅開始タイミングを示す図である。図７において、図５と同じ構成については同じ記号を使用する。
【００６３】
図７において、無線端末５０３から無線端末５１１までの各無線端末間の距離が示されている。距離の測定には、無線端末の機能である距離測定部２０３を使用したり、外部機器の測定方法を実施したりするなどが考えられる。なお、距離の測定方法は様々なものが存在するが、ここでの説明は割愛する。
【００６４】
図７では、各無線端末間の距離が点線上で示されている。例えば、無線端末５０３と無線端末５０５の直線距離は２ｄ（ｄは定数）である。このとき、表７ａに示すように、制御パケットを受信してから点灯動作を開始するまでの待機時間を設定する。待機時間の設定は、各無線端末間の距離に比例するものとし、例えば、無線端末５０５の待機時間は２Ｔ（Ｔは定数）である。
【００６５】
このように、無線端末間の距離によって待機時間を変化させることで、距離が近い無線端末間では、無線端末の点滅動作がすぐに次の無線端末に連動し、距離が遠い無線端末間では、点滅動作の連動に少し時間差が発生するように設定する。このことは、ユーザが各無線端末の動作を視覚的に追っていったときに、より各無線端末が連動しているように認識させることを可能とし、イベントを検出した無線端末までの誘導を効率的に行うことができる。
【００６６】
なお、各端末のイベント例として、火災や障害発生、物の場所検出などを挙げてきたが、ネットワークのメンテナンス用途として、各無線端末に任意にイベントを発生させることで、該当する無線端末までの経路を利用者が確認することも可能である。
【００６７】
本発明にかかる無線システムは、複数の無線端末が接続される無線アドホックネットワーク環境において、無線端末でイベントを検出する検出手段と、無線端末が他の無線端末にイベントの発生を通知する通知手段と、イベント通知を転送する転送手段と、イベント通知を受信した無線端末は他の無線端末動作に連動して所定の動作を行う動作手段とを有し、ユーザが動作を追跡することで障害やイベントを検出した無線端末を特定することが可能である。また、トレースルートなどのネットワークのメンテナンス用途にも応用できる。
【産業上の利用可能性】
【００６８】
本発明によれば、複数の無線端末から特定の無線端末を検知することのできる無線システムが実現可能であり、無線アドホックシステムでの障害検出や災害などのイベント検出、人や物の探索のほか、ネットワークのメンテナンス用途などに応用することができる。
【図面の簡単な説明】
【００６９】
【図１】本発明の実施の形態１における無線システムを示す図
【図２】本発明の実施の形態１における無線端末の構成を示す図
【図３】本発明の実施の形態１におけるイベント発生からの各無線端末動作のシーケンスを示す図
【図４】本発明の実施の形態１における転送ホップ回数と待機時間の関係を示す図
【図５】本発明の実施の形態２における無線システムを示す図
【図６】本発明の実施の形態２における対象物の発見から誘導動作までのシーケンスを示す図
【図７】本発明の実施の形態２における無線端末間距離による点滅開始タイミングを示す図
【図８】従来の無線システムにおける障害表示を示す図
【符号の説明】
【００７０】
１０Ａ〜１０Ｆ，５０１〜５２１    無線端末
１１Ａ〜１１Ｆ    表示装置
１０１    ユーザ
１０２    イベント（火災）
２０７    センサ
９０１−Ａ〜Ｉ    映像表示装置
【図１】
2006352305.tif 000003
【図２】
2006352305.tif 000004
【図３】
2006352305.tif 000005
【図４】
2006352305.tif 000006
【図５】
2006352305.tif 000007
【図６】
2006352305.tif 000008
【図７】
2006352305.tif 000009
【図８】
2006352305.tif 000010